(57)【要約】      （修正有）【課題】携帯用ダイエットベルトを提供する。【解決手段】人体の腹部に着用されるベルト部１１０と、ベルト部の後面に装着され、人体の腹部と向かい合うように配置されるＬＥＤ発光素子１２０と、ＬＥＤ発光素子と離隔して配置され、人体の腹部に振動を印加するための振動素子１３０と、ベルト部に装着され、ＬＥＤ発光素子に印加される点灯信号を生成するＬＥＤ駆動回路、及び振動素子に印加される振動信号を生成する振動素子駆動回路を有するメーン制御部と、ベルト部の内部に装着され、メーン制御部に電源を供給するための内蔵バッテリーとを含んでＬＥＤ及び振動を用いた携帯用ダイエットベルトを構成する。【選択図】図２
2016087413.tif 000002
【特許請求の範囲】
【請求項１】
人体の腹部に着用されるベルト部と、
前記ベルト部の後面に装着され、前記人体の腹部と向かい合うように配置されるＬＥＤ発光素子と、
前記ＬＥＤ発光素子と離隔して配置され、前記人体の腹部に振動を印加するための振動素子と、
前記ベルト部に装着され、前記ＬＥＤ発光素子に印加される点灯信号を生成するＬＥＤ駆動回路、及び前記振動素子に印加される振動信号を生成する振動素子駆動回路を有するメーン制御部と、
前記ベルト部の内部に装着され、前記メーン制御部に電源を供給するための内蔵バッテリーと
を含むことを特徴とするＬＥＤ及び振動を用いた携帯用ダイエットベルト。
【請求項２】
前記ベルト部は、
前記ＬＥＤ発光素子及び前記振動素子を搭載するための搭載空間を備える内部ケースと、
前記内部ケースから延長されて前記人体の腹部及び腰に巻かれる着用ベルトと、
前記内部ケースに嵌められて結合され、前記ＬＥＤ発光素子及び前記振動素子を保護するための外部ケースと、を含むことを特徴とする、請求項１に記載のＬＥＤ及び振動を用いた携帯用ダイエットベルト。
【請求項３】
前記着用ベルトは、
一体型構造を有し、シリコン、シリコンラバー、ネオプレン及びライクラから選ばれたいずれか一つの材質で形成されたことを特徴とする、請求項２に記載のＬＥＤ及び振動を用いた携帯用ダイエットベルト。
【請求項４】
前記携帯用ダイエットベルトは、
前記着用ベルトに装着されて自由に移動し、前記人体に前記着用ベルトを固定させるためのバックルをさらに含むことを特徴とする、請求項２に記載のＬＥＤ及び振動を用いた携帯用ダイエットベルト。
【請求項５】
前記内部ケース、外部ケース及びバックルのそれぞれは、
ＰＰ（ｐｏｌｙｐｒｏｐｙｌｅｎｅ）、ＰＥ（ｐｏｌｙｅｔｈｙｌｅｎｅ）、ＰＩ（ｐｏｌｙｉｍｉｄｅ）、ＰＥＴ（ｐｏｌｙｅｔｈｙｌｅｎｅ  ｔｅｒｅｐｈｔｈａｌａｔｅ）、ＰＥＳ（ｐｏｌｙｅｔｈｅｒ  ｓｕｌｆｏｎｅ）及びＰＣ（ｐｏｌｙｃａｒｂｏｎａｔｅ）から選ばれたいずれか一つの材質で形成されることを特徴とする、請求項４に記載のＬＥＤ及び振動を用いた携帯用ダイエットベルト。
【請求項６】
前記ＬＥＤ発光素子は、
２６０ｎｍ〜４００ｎｍの紫外線、４０１ｎｍ〜７００ｎｍの可視光線又は７０１ｎｍ〜１２００ｎｍの近赤外線から選ばれる波長の光を発生
させることを特徴とする、請求項１に記載のＬＥＤ及び振動を用いた携帯用ダイエットベルト。
【請求項７】
前記携帯用ダイエットベルトは、
前記ＬＥＤ発光素子及び前記振動素子を搭載し、前記内部ケースの搭載空間に嵌められて結合されるＬＥＤパッドと、
前記ベルト部に装着され、前記メーン制御部に動作命令信号を送受信するための操作パッドをさらに含むことを特徴とする、請求項２に記載のＬＥＤ及び振動を用いた携帯用ダイエットベルト。
【請求項８】
前記ＬＥＤ発光素子及び前記振動素子のそれぞれは、
前記内部ケースに少なくとも二つ以上搭載されることを特徴とする、請求項７に記載のＬＥＤ及び振動を用いた携帯用ダイエットベルト。
【請求項９】
前記振動素子は、
複数が個別に振動するように設定されていることを特徴とする、請求項８に記載のＬＥＤ及び振動を用いた携帯用ダイエットベルト。
【請求項１０】
前記振動素子は、
振動の強さが調節されるように設定されていることを特徴とする、請求項１に記載のＬＥＤ及び振動を用いた携帯用ダイエットベルト。
【請求項１１】
前記ベルト部は、
前記着用ベルトに着脱形態で結合される延長ベルトをさらに含むことを特徴とする、請求項２に記載のＬＥＤ及び振動を用いた携帯用ダイエットベルト。
【請求項１２】
前記延長ベルトと前記着用ベルトの相互間の当接部分には締結ホールが備えられ、
前記延長ベルトは、締結ねじによるねじ式締結構造で前記着用ベルトに着脱されることを特徴とする、請求項１１に記載のＬＥＤ及び振動を用いた携帯用ダイエットベルト。
【請求項１３】
前記締結ねじは、
グラスファイバー及びグラスウールを含む強化樹脂材質から選ばれたいずれか一つで形成されることを特徴とする、請求項１２に記載のＬＥＤ及び振動を用いた携帯用ダイエットベルト。
【発明の詳細な説明】
【技術分野】
【０００１】
本発明は、携帯用ダイエットベルトに関し、より詳細には、ＬＥＤ（ｌｉｇｈｔ  ｅｍｉｔｔｉｎｇ  ｄｉｏｄｅ）光を腹部に照射することによって腹部の脂肪細胞を直接分解させると共に、振動の印加によって分解された脂肪細胞を速く燃焼させ、直接的な脂肪減少により、有酸素運動を実施しなくてもダイエット効果を図ることができるＬＥＤ及び振動を用いた携帯用ダイエットベルトに関する。
【背景技術】
【０００２】
食べ過ぎ、中年太り、出産後の腹部肥満などは、ほとんど全世代にわたって経験している悩みの一つである。このような腹部肥満は、他の身体部位に比べてダイエットしにくいので、改善方法が容易でない。
【０００３】
このような腹部肥満は、外観上の問題の他にも、各種成人病をもたらす危険性を有する。すなわち、腹部肥満の人は、正常体重の人に比べてコレステロールや中性脂肪の数値が上昇する場合が多く、これを高脂血症という。高脂血症は、狭心症、心筋梗塞、脳卒中などの動脈硬化性疾患の発生危険を増加させる。
【０００４】
また、腹部肥満があると、肝臓でブドウ糖の生成が増加し、食事量が多くなるので、血糖が高くなる。したがって、その分だけ糖尿病の可能性が高くなる。
【０００５】
腹部の脂肪は、皮下脂肪と内臓脂肪からなっているが、このうち皮下脂肪は、美容上の問題に過ぎなく、健康に何ら問題も起こさない。しかし、これとは異なり、内臓脂肪は、狭心症、心筋梗塞症、脳卒中などの致命的な心血関係疾患の発生率を高める。
【０００６】
このような理由で、腹部肥満の人は、高血圧、高脂血症などに多くかかり、これらが複合的に作用することによって、狭心症などの原因となる動脈硬化を促進させ得る。
【０００７】
腹部の脂肪が増加するほど心臓血管の幅が狭くなると共に、心臓は常に過労し、血液循環が妨害されるようになる。このような理由により、少しでも無理して動いたり運動したりすると息が切れ、疲労してしまう。
【０００８】
しかし、ほとんど人々は、腹部肥満の脱出に対する至大な関心は持っているが、食事量を減らしたり、持続的な有酸素運動を通じてダイエットする長期的な努力は実行していない状況である。
【０００９】
関連先行文献としては、特許文献１（２００３．１１．０７．公告）があり、前記文献には、ダイエットベルトが記載されている。
【先行技術文献】
【特許文献】
【００１０】
【特許文献１】大韓民国登録実用新案公報第２０―０３３２６８２号
【発明の概要】
【発明が解決しようとする課題】
【００１１】
本発明の目的は、人体の腹部にＬＥＤ光を照射することによって脂肪の塊を非常に小さいサイズの脂肪酸とグリセロールに分解させると共に、振動の印加によって分解された脂肪細胞を速く燃焼させ、直接的な脂肪減少により、有酸素運動を実施しなくてもダイエット効果を図ることができるＬＥＤ及び振動を用いた携帯用ダイエットベルトを提供することにある。
【課題を解決するための手段】
【００１２】
前記目的を達成するための本発明の実施例に係るＬＥＤ及び振動を用いた携帯用ダイエットベルトは、人体の腹部に着用されるベルト部と、前記ベルト部の後面に装着され、前記人体の腹部と向かい合うように配置されるＬＥＤ発光素子と、前記ＬＥＤ発光素子と離隔して配置され、前記人体の腹部に振動を印加するための振動素子と、前記ベルト部に装着され、前記ＬＥＤ発光素子に印加される点灯信号を生成するＬＥＤ駆動回路、及び前記振動素子に印加される振動信号を生成する振動素子駆動回路を有するメーン制御部と、前記ベルト部の内部に装着され、前記メーン制御部に電源を供給するための内蔵バッテリーとを含むことを特徴とする。
【発明の効果】
【００１３】
本発明に係るＬＥＤ及び振動を用いた携帯用ダイエットベルトは、人体の腹部にＬＥＤ光を照射することによって脂肪の塊を非常に小さいサイズの脂肪酸とグリセロールに分解させると共に、振動の印加によって分解された脂肪細胞を速く燃焼させ、直接的な脂肪減少により、有酸素運動を実施しなくてもダイエット効果を極大化することができる。このとき、振動のみを使用した場合は直接的な脂肪減少を達成できなく、ＬＥＤのみを用いる場合は、有酸素運動を並行して実施したときにより良い効果を達成できる一方、本発明のようにＬＥＤと振動を共に使用すると、遥かに大きな相乗効果によって直接的なダイエット効果を出すことができる。
【００１４】
また、本発明に係るＬＥＤ及び振動を用いた携帯用ダイエットベルトは、内部ケース及び着用ベルトの材質として、重さが非常に軽いシリコン及びシリコンラバーや、伸縮性のあるネオプレン（ｎｏｅｐｒｅｎｅ）及びライクラ（ｌｙｃｒａ）などから選ばれたいずれか一つを用いることによって人体の曲面と密着させることができ、携帯が容易であり、素肌に着用した場合にも材質が軟らかく、且つ着用感に拒否感がないので、着用した状態で外部でジョギングをするとき、激しく動いたり汗が出ても拒否感なく使用することができる。
【図面の簡単な説明】
【００１５】
【図１】本発明の実施例に係る携帯用ダイエットベルトの前面を示した図である。
【図２】本発明の実施例に係る携帯用ダイエットベルトの後面を示した図である。
【図３】本発明の実施例に係る携帯用ダイエットベルトの上面を示した斜視図である。
【図４】本発明の実施例に係る携帯用ダイエットベルトを概略的に示したブロック構成図である。
【図５】図２のベルト部を拡大して示した分解斜視図である。
【図６】本発明の実施例に係る携帯用ダイエットベルトの縁部を拡大して示した正面斜視図である。
【図７】ＬＥＤ及び振動の組み合わせによる脂肪分解過程を説明するための図である。
【図８】ＬＥＤ及び振動の組み合わせによる脂肪分解過程を説明するための図である。
【図９】本発明の変形例に係る携帯用ダイエットベルトの前面を示した図である。
【図１０】本発明の変形例に係る携帯用ダイエットベルトの上面を示した断面図である。
【図１１】図９のＡ部分を拡大して示した図である。
【発明を実施するための形態】
【００１６】
本発明の利点及び特徴、そして、それらを達成する方法は、添付の図面と共に詳細に説明している各実施例を参照すれば明確になるだろう。しかし、本発明は、以下で開示する各実施例に限定されるものではなく、互いに異なる多様な形態に具現可能である。ただし、本実施例は、本発明の開示を完全にし、本発明の属する技術分野で通常の知識を有する者に発明の範疇を完全に知らせるために提供されるものであって、本発明は、請求項の範疇によって定義されるものに過ぎない。明細書全体にわたって同一の参照符号は、同一の構成要素を称する。
【００１７】
以下、添付の図面を参照して、本発明の好ましい実施例に係るＬＥＤ及び振動を用いた携帯用ダイエットベルトについて詳細に説明する。
【００１８】
図１は、本発明の実施例に係る携帯用ダイエットベルトの前面を示した図で、図２は、本発明の実施例に係る携帯用ダイエットベルトの後面を示した図である。また、図３は、本発明の実施例に係る携帯用ダイエットベルトの上面を示した図で、図４は、本発明の実施例に係る携帯用ダイエットベルトを概略的に示したブロック構成図である。
【００１９】
図１〜図４を参照すると、図示した本発明の実施例に係るＬＥＤ及び振動を用いた携帯用ダイエットベルト１００は、ベルト部１１０、ＬＥＤ発光素子１２０、振動素子１３０、メーン制御部１７０及び内蔵バッテリー１８０を含む。
【００２０】
ベルト部１１０は、人体の腹部に着用される。このようなベルト部１１０は、人体の腹部及び腰に容易に着用できるように横方向の長さが縦の長さに比べて相対的に長い帯状であってもよく、これに対する細部構成については、後で説明することにする。
【００２１】
ＬＥＤ発光素子１２０は、ベルト部１１０の後面に装着され、人体の腹部と向かい合うように配置される。ＬＥＤ発光素子１２０は、ベルト部１１０の後面に装着され、人体の腹部にＬＥＤ光を照射することによって腹部の脂肪細胞を直接分解させるようになる。
【００２２】
図面には図示していないが、ＬＥＤ発光素子１２０は、回路基板（図示せず）と、回路基板上に実装された複数のＬＥＤチップ（図示せず）とを含んでもよい。このとき、ＬＥＤ発光素子１２０は、２６０ｎｍ〜４００ｎｍの紫外線、４０１ｎｍ〜７００ｎｍの可視光線、又は７０１ｎｍ〜１２００ｎｍの近赤外線から選ばれる特定の波長の光を発生させるように製作されている。
【００２３】
一般に、ＬＥＤは、レーザーに比べて単位面積当たりのエネルギーが低いので、人体に照射する場合、レーザーに比べて組織や網膜に損傷を与えないように製作して使用できるという長所を有する。
【００２４】
振動素子１３０は、ＬＥＤ発光素子１２０と離隔して配置され、人体の腹部に振動を印加するために装着される。このような振動素子１３０は、複数が個別に振動するように設定されることが適切であるが、これは、使用者がベルト部１１０を着用した状態で操作パッド１６０を用いたそれぞれの動作モードを選択するとき、その選択による動作命令信号をメーン制御部１７０に出力することによって、ＬＥＤモード（Ｍ１）、パワーモード（Ｍ２）及びコンフォートモード（Ｍ３）のうちいずれか一つを選択的に行うためである。
【００２５】
このとき、振動素子１３０は、振動の強さが調節されるように設定されていることが好ましいが、これは、長時間振動機能を使用するときの不便さをなくすためである。
【００２６】
メーン制御部１７０は、ベルト部１１０に装着され、ＬＥＤ発光素子１２０に印加される点灯信号を生成するＬＥＤ駆動回路１２５、及び振動素子１３０に印加される振動信号を生成する振動素子駆動回路１３５を有する。このようなメーン制御部１７０は、操作パッド１６０の動作信号に応答してＬＥＤ駆動回路１２５及び振動素子駆動回路１３５を選択的にそれぞれ駆動する役割をする。このとき、メーン制御部１７０は、制御用ハードウェア及びソフトウェアを有する電算ユニットを含んでもよい。
【００２７】
前記ＬＥＤ駆動回路１２５は、ＬＥＤ発光素子１２０に印加される点灯信号を生成する。すなわち、ＬＥＤ駆動回路１２５は、点灯信号を選択的に出力し、ＬＥＤ発光素子１２０の出力光を制御する役割をする。そして、振動素子駆動回路１３５は、振動素子１３０に印加される振動信号を生成する。すなわち、振動素子駆動回路１３５は、振動信号を選択的に出力し、振動素子１３０の振動の強さ及び振動モードを制御する役割をする。
【００２８】
内蔵バッテリー１８０は、ベルト部１１０の内部に装着され、メーン制御部１７０に電源を供給するために装着される。このとき、内蔵バッテリー１８０は、充電式で携帯が可能であり、一度の充電で約１時間にわたって使用できる容量を有する。
【００２９】
また、本発明の実施例に係るＬＥＤ及び振動を用いた携帯用ダイエットベルト１００は、ＬＥＤパッド１４０及び操作パッド１６０をさらに含む。
【００３０】
ＬＥＤパッド１４０は、ＬＥＤ発光素子１２０及び振動素子１３０を搭載し、内部ケース１１２の搭載空間に嵌められて結合される。このとき、図２には、ＬＥＤパッド１４０がプレート状である場合を示したが、これに制限されることはなく、ＬＥＤパッド１４０には、円状などの多様な形状が適用されてもよい。
【００３１】
ＬＥＤ発光素子１２０及び振動素子１３０のそれぞれは、ＬＥＤパッド１４０に少なくとも二つ以上搭載されることが好ましいが、これは、ＬＥＤ発光素子１２０及び振動素子１３０を局部的にコントロールすることによって、使用者がベルト部１１０を着用した状態で操作パッド１６０を用いたそれぞれの動作モードを選択したとき、その選択による動作命令信号をメーン制御部１７０に出力することによって、ＬＥＤモード（Ｍ１）、パワーモード（Ｍ２）及びコンフォートモード（Ｍ３）のうちいずれか一つを選択的に行うためである。
【００３２】
操作パッド１６０は、ベルト部１１０に装着され、メーン制御部１７０に動作命令信号を送受信する役割をする。このような操作パッド１６０は、ＬＥＤモード（Ｍ１）、パワーモード（Ｍ２）及びコンフォートモード（Ｍ３）の３つの動作を行うように設定されていてもよい。これによって、使用者がベルト部１１０を着用した状態で操作パッド１６０を用いたそれぞれの動作モードを選択したとき、その選択による動作命令信号をメーン制御部１７０に出力することによって、ＬＥＤモード（Ｍ１）、パワーモード（Ｍ２）及びコンフォートモード（Ｍ３）のうちいずれか一つを選択的に行うようになる。
【００３３】
このとき、ＬＥＤモード時には、操作パッド１６０を用いてＬＥＤモードボタンをタッチすると、ＬＥＤ発光素子１２０には電源が供給され、振動素子１３０には電源が供給されないことによってＬＥＤ発光素子１２０のみを選択的に作動させ、使用者の腹部にＬＥＤ光を照射することによって静かに脂肪を溶解させるようになる。
【００３４】
また、パワーモード時には、操作パッド１６０を用いてパワーモードボタンをタッチすると、ＬＥＤ発光素子１２０及び振動素子１３０の全てに電源が供給され、ＬＥＤ光の照射及び振動が最大パワーで作動することによって脂肪を溶解させるようになる。
【００３５】
また、コンフォートモード時には、操作パッド１６０を用いてコンフォートモードボタンをタッチすると、ＬＥＤ発光素子１２０の全てには電源が供給され、振動素子１３０の一部のみに電源が供給され、ＬＥＤ光の照射及び振動が中間パワーで作動することによって脂肪を溶解させるようになる。
【００３６】
このとき、パワーモードは、携帯用ダイエットベルト１００を着用した状態で有酸素運動を行わない場合、運動代替効果が良く、コンフォートモードは、長時間大きな振動の刺激に不便を感じるときに使用し、ＬＥＤモードは、携帯用ダイエットベルト１００を着用して歩いたり、走ったりするなどの有酸素運動を並行する場合に使用することが適切である。
【００３７】
図面には詳細に示していないが、操作パッド１６０のパワーボタンには別途のＬＥＤランプを設け、充電状態に応じて３つの色相が表示され得る。動作中のパワーボタンの色により、利用者は現在の充電状態を認知することができる。例えば、緑色は、内蔵バッテリー１８０の充電状態が７０％以上であることを示し、黄色は、内蔵バッテリー１８０の充電状態が３０％以上７０％未満であることを示し、赤色は、内蔵バッテリー１８０の充電状態が３０％未満である状態を示す。
【００３８】
一方、図５は、図２のベルト部を拡大して示した分解斜視図で、図６は、本発明の実施例に係る携帯用ダイエットベルトの縁部を拡大して示した正面斜視図である。
【００３９】
図５及び図６に示したように、ベルト部１１０は、内部ケース１１２、着用ベルト１１４及び外部ケース１１６を含む。
【００４０】
内部ケース１１２は、ＬＥＤ発光素子１２０及び振動素子１３０を搭載するための搭載空間を備える。このような内部ケース１１２は、使用者の人体の腹部に配置される。
【００４１】
着用ベルト１１４は、外部ケース１１６から延長され、使用者の人体の腹部及び腰に巻かれる。このとき、着用ベルト１１４は、シリコン、シリコンラバー、ネオプレン及びライクラから選ばれたいずれか一つの材質で形成される。このように、着用ベルト１１４の材質として、重さが相当軽いシリコン、シリコンラバーや、伸縮性のあるネオプレン及びライクラなどから選ばれたいずれか一つを用いる場合、人体の曲面と密着させることができ、携帯が容易であり、人体の素肌に着用した場合にも材質が軟らかく、且つ着用感に拒否感がないので、着用した状態で外部でジョギングをするとき、激しく動いたり汗が出ても拒否感なく使用することができる。
【００４２】
特に、着用ベルト１１４は、身体に対する拒否感をなくし、通気性を確保するために、素肌に触れる内側部分には特定形状の溝（図示せず）を形成することが好ましいが、これは、特定形状の溝を作ることによって、汗がついたり着用に対して不便を感じる現象をなくすためである。
【００４３】
内部ケース１１２は、外部ケース１１６に嵌められて結合され、ＬＥＤ発光素子１２０及び振動素子１３０を保護する役割をする。
【００４４】
このとき、本発明の実施例に係るＬＥＤ及び振動を用いた携帯用ダイエットベルト１００は、バックル１５０をさらに含んでもよい。
【００４５】
バックル１５０は、着用ベルト１１４に装着されて移動可能であるので、使用者の腰回りのサイズに合わせて着用ベルト１１４を調節して固定させる役割をする。このとき、内部ケース１１２、外部ケース１１６及びバックル１５０のそれぞれは、ＰＰ（ｐｏｌｙｐｒｏｐｙｌｅｎｅ）、ＰＥ（ｐｏｌｙｅｔｈｙｌｅｎｅ）、ＰＩ（ｐｏｌｙｉｍｉｄｅ）、ＰＥＴ（ｐｏｌｙｅｔｈｙｌｅｎｅ  ｔｅｒｅｐｈｔｈａｌａｔｅ）、ＰＥＳ（ｐｏｌｙｅｔｈｅｒ  ｓｕｌｆｏｎｅ）、ＰＣ（ｐｏｌｙｃａｒｂｏｎａｔｅ）などから選ばれたいずれか一つの高分子プラスチック材質で形成される。
【００４６】
このような内部ケース１１２と外部ケース１１６を高分子プラスチック材質で形成すると、振動素子１３０からの振動を効果的に伝達できるだけでなく、材質が軽いため携帯が容易になる。また、内部ケース１１２は、ＬＥＤ発光素子１２０及び振動素子１３０に外部衝撃が加えられることを防止し、汗、埃などの汚染物質が入り込むことを遮断する。
【００４７】
一方、図７及び図８は、ＬＥＤ及び振動の組み合わせによる脂肪分解過程を説明するための図である。
【００４８】
図７及び図８を参照すると、ＬＥＤ光を人体の腹部に照射すると、リパーゼ（Ｌｉｐａｓｅ）という酵素を生成させ、脂肪の塊を非常に小さいサイズの脂肪酸とグリセロールに分解させるようになる。このように分解された各分子は、細胞膜の穴を介して体内の組織に移動し、サイズが縮小したり、消えたり、新陳代謝／有酸素運動を通じてより効果的に燃焼される。
【００４９】
特に、ＬＥＤ光を照射しながら振動を印加すると、細胞の運動性を高め、ＬＥＤ光に露出して分解された（ｂｒｅａｋｉｎｇ  ｄｏｗｎ）各脂肪分子が燃焼したり、体内の組織にうまく移動できるように助け、有酸素運動を代替する脂肪減少効果をもたらす。また、振動は、体内の細胞を刺激し、血流と酸素摂取量を増加させ、体内の毒素が抜け出るように新陳代謝を促進させる。
【００５０】
したがって、本発明のように、人体の腹部にＬＥＤ光を照射し、脂肪の塊を非常に小さいサイズの脂肪酸とグリセロールに分解させながら振動を印加する場合、分解された脂肪細胞を速く燃焼させ、直接的な脂肪減少によりダイエット効果を図ることができる。
【００５１】
以上説明したように、本発明の実施例に係るＬＥＤ及び振動を用いた携帯用ダイエットベルトは、人体の腹部にＬＥＤ光を照射することによって脂肪の塊を非常に小さいサイズの脂肪酸とグリセロールに分解させると共に、振動の印加によって分解された脂肪細胞を速く燃焼させ、直接的な脂肪減少により、有酸素運動を実施しなくてもダイエット効果を極大化することができる。振動のみを使用した場合は、直接的な脂肪減少を達成できなく、ＬＥＤのみを用いる場合は、有酸素運動を並行して実施したときにより良い効果を達成できる一方、ＬＥＤと振動を共に使用すると、遥かに大きな相乗効果で直接的なダイエット効果を出すことができる。
【００５２】
また、本発明の実施例に係るＬＥＤ及び振動を用いた携帯用ダイエットベルトは、内部ケース及び着用ベルトの材質として、重さが非常に軽いシリコン及びシリコンラバーや、伸縮性のあるネオプレン及びライクラなどから選ばれたいずれか一つを用いることによって人体の曲面と密着させることができ、携帯が容易であり、素肌に着用した場合にも材質が軟らかく、且つ着用感に拒否感ないので、着用した状態で外部でジョギングをするとき、激しく動いたり汗が出ても拒否感なく使用することができる。
【００５３】
一方、図９は、本発明の変形例に係る携帯用ダイエットベルトの前面を示した図で、図１０は、本発明の変形例に係る携帯用ダイエットベルトの上面を示した断面図で、図１１は、図９のＡ部分を拡大して示した図である。
【００５４】
図９〜図１１を参照すると、図示した本発明の変形例に係る携帯用ダイエットベルト１００は、図１〜図４を参照して説明した実施例に係る携帯用ダイエットベルトと実質的に同一の構成を有する。
【００５５】
ただし、本発明の変形例に係る携帯用ダイエットベルト１００は、２４．５インチ〜４９インチまで多様な腰のサイズに合わせて拡張できる構造を有する。
【００５６】
このために、本発明の変形例に係る携帯用ダイエットベルト１００のベルト部１１０は、着用ベルト１１４と締結ねじ１１５によって結合される延長ベルト１１８をさらに含んでもよい。このような延長ベルト１１８と着用ベルト１１４の相互間の当接部分には締結ホールＨが備えられ、締結ねじ１１５によるねじ式締結構造で着用ベルト１１４に延長ベルト１１８を着脱できるように設計される。
【００５７】
すなわち、延長ベルト１１８と着用ベルト１１４を相互に結合するとき、締結ねじ１１５の締結雄ねじ１１５ａと締結雌ねじ１１５ｂを締結ホールＨにそれぞれ挿入し、突き合わせ嵌合方式でねじ結合することによって、延長ベルト１１８と着用ベルト１１４を相互に安定的に結合できるようになる。このとき、締結ねじ１１５は、グラスファイバー及びグラスウールを含む強化樹脂材質から選ばれたいずれか一つで形成されてもよい。
【００５８】
上述した本発明の変形例に係るＬＥＤ及び振動を用いた携帯用ダイエットベルトは、一実施例と同様に、人体の腹部にＬＥＤ光を照射することによって脂肪の塊を非常に小さいサイズの脂肪酸とグリセロールに分解させると共に、振動の印加によって分解された脂肪細胞の硬化を防止し、ＬＥＤ及び振動のうちいずれか一つのみを使用した場合には達成できない直接的な脂肪除去により、有酸素運動を実施しなくてもダイエット効果を極大化することができる。
【００５９】
また、本発明の変形例に係るＬＥＤ及び振動を用いた携帯用ダイエットベルトは、延長ベルトと着用ベルトの相互間の当接部分には締結ホールが備えられ、締結ねじによるねじ式締結構造で着用ベルトに延長ベルトを着脱できるように設計されることによって、２４．５インチ〜４９インチまで多様な腰のサイズに合わせて拡張できる構造を有するので、着脱に対する便宜性を提供することができる。
【００６０】
以上では、本発明の実施例を中心に説明したが、本発明の属する技術分野で通常の知識を有する技術者の水準で多様な変更や変形が可能である。このような変更と変形は、本発明が提供する技術思想の範囲から逸脱しない限り、本発明に属するものと言える。したがって、本発明の権利範囲は、以下で記載する特許請求の範囲によって判断すべきであろう。
【符号の説明】
【００６１】
１００：携帯用ダイエットベルト、１１０：ベルト部、１１２：内部ケース、１１４：着用ベルト、１１５：締結ねじ、１１５ａ：締結雄ねじ、１１５ｂ：締結雌ねじ、１１６：外部ケース、１１８：延長ベルト、１２０：ＬＥＤ発光素子、１３０：振動素子、１４０：ＬＥＤパッド、１５０：バックル
【図１】
2016087413.tif 000003
【図２】
2016087413.tif 000004
【図３】
2016087413.tif 000005
【図４】
2016087413.tif 000006
【図５】
2016087413.tif 000007
【図６】
2016087413.tif 000008
【図７】
2016087413.tif 000009
【図８】
2016087413.tif 000010
【図９】
2016087413.tif 000011
【図１０】
2016087413.tif 000012
【図１１】
2016087413.tif 000013